(57)【要約】【課題】  化粧品を長時間変質されないように保管し得るだけではなく、化粧品を便利に使用し得る冷蔵庫の化粧品受納装置を提供する。【解決手段】  冷蔵庫の化粧品受納装置は、冷凍室及び冷蔵室などが備えられた冷蔵庫の本体と、該冷蔵庫の本体に装着される冷蔵庫ドアと、該冷蔵庫ドアの内側面に備えられ且つ所定の内部空間を有する化粧品保存ケースと、前記冷蔵庫ドアに備えられ且つ前記化粧品保存ケースを開閉するケースドアと、を包含して構成される。【選択図】      図１
2005180909.tif 000002
【特許請求の範囲】
【請求項１】
冷凍室及び冷蔵室などが備えられた冷蔵庫の本体と、該冷蔵庫の本体に装着される冷蔵庫ドアと、該冷蔵庫ドアの内側面に備えられ且つ所定の内部空間を有する化粧品保存ケースと、前記冷蔵庫ドアに備えられ且つ前記化粧品保存ケースを開閉するケースドアと、を包含して構成されることを特徴とする冷蔵庫の化粧品受納装置。
【請求項２】
前記冷蔵庫ドアに鏡が付着されたことを特徴とする請求項１記載の冷蔵庫の化粧品受納装置。
【請求項３】
前記鏡は、前記ケースドアの上側に位置することを特徴とする請求項２記載の冷蔵庫の化粧品受納装置。
【請求項４】
前記化粧品保存ケースは、冷蔵庫の本体の内部の冷気が伝導されて内部が冷たくなるように電熱部材で形成されたことを特徴とする請求項１記載の冷蔵庫の化粧品受納装置。
【請求項５】
前記ケースドアは、内部に受容された化粧品を確認し得るように透明ウィンドウが備えられたことを特徴とする請求項１記載の冷蔵庫の化粧品受納装置。
【請求項６】
前記化粧品保存ケースは、一方の側が開口された六面体の形状のケース部と、該ケース部の開口された枠に折曲延長されるように形成され且つ前記冷蔵庫ドアの内側壁に結合される結合部を具備して成ることを特徴とする請求項１記載の冷蔵庫の化粧品受納装置。
【請求項７】
前記ケース部の一部分が冷気により熱伝導される伝熱部が備えられることを特徴とする請求項６記載の冷蔵庫の化粧品受納装置。
【請求項８】
前記化粧品保存ケースの底面に、受納された化粧品の動きを抑制する区画枠が備えられたことを特徴とする請求項１記載の冷蔵庫の化粧品受納装置。
【請求項９】
前記ケースドアは、その一方の側を軸に上側から下側に開閉されることを特徴とする請求項１記載の冷蔵庫の化粧品受納装置。
【請求項１０】
冷蔵庫の本体又は冷蔵庫ドアに備えられ、該冷蔵庫の本体の内部の冷気により熱伝導され且つ内部が冷たく維持される化粧品保存ケースと、該化粧品保存ケースを開閉するケースドアと、を包含して構成されたことを特徴とする化粧品受納装置。
【発明の詳細な説明】
【技術分野】
【０００１】
本発明は、冷蔵庫に係るもので、詳しくは、化粧品の品質が長時間変質されないように保管し得るだけではなく、化粧品を便利に使用し得る冷蔵庫の化粧品受納装置に関するものである。
【背景技術】
【０００２】
一般に、冷蔵庫は、肉類、魚、野菜などの食物を新鮮な状態に保管する。このような冷蔵庫は、冷凍室、冷蔵室、野菜室達などが備えられた冷蔵庫の本体と、該冷蔵庫の本体の一方の側に装着されて且つ冷凍室と冷凍室を開閉するドアと、を包含して構成される。
【０００３】
前記冷蔵庫の本体は、圧縮機、凝縮機、毛細管及び蒸発器等から構成される冷凍サイクル装置と、前記蒸発器により形成される冷気を強制流動させる送風ファンと、前記蒸発器で形成される冷気が冷凍室及び冷蔵室などを経た後、再び蒸発器側に流入されるように案内する循環流路と、を包含して構成される。
以下、前記冷蔵庫の作動について説明する。
【０００４】
前記冷凍室や冷蔵室の温度が設定された温度以上になると、前記冷凍サイクル装置が作動するようになる。該冷凍サイクル装置が作動することで、蒸発器で冷気を形成するようになり、該蒸発器により形成される冷気は、前記送風ファンの作動により流動するするようになる。該蒸発器で形成される冷気は、循環流路を通って流動しながら冷凍室、冷蔵室及び冷蔵室と共に備えられた野菜室を設定された温度に維持する。
【０００５】
前記冷蔵庫は、冷気を循環させる方式、冷凍室と冷蔵室の位置及び蒸発器の構成によって多様な形態に分類される。
【０００６】
最近、冷蔵庫は、使用者の欲求によって大型化になり、且つ使用者の便利性を向上させるために多様な機能が付加される。一例として、ワインの固有な味を維持しながら保存し得るワイン冷蔵庫などが開発されている。
【０００７】
一方、家庭用冷蔵庫は、一般的に台所や居間に位置する。また、家庭の主婦は、料理や皿洗いを台所でする。主婦達は、料理や皿洗いの後に手を保護するために化粧品を使用するようになる。
【０００８】
このような化粧品は皮膚を保護し、湿気を維持させて新陳代謝を円滑にするで、大気中の異質物が直接皮膚に接触されることを防止する皮膚美容剤である。
【発明の開示】
【発明が解決しようとする課題】
【０００９】
然るに、このような化粧品は、長期間保管しながら使用するため、変質される憂いがある。若し、変質された化粧品を使用した場合は、皮膚の汗孔が詰まったり皮膚が荒れる場合があり、激しい場合は、皮膚病を誘発する等の副作用を起こすという不都合な点があった。従って、化粧品は、涼しい場所に保管することが好ましい。
【００１０】
本発明は、このような問題点に鑑みて成されたもので、化粧品を長時間変質されないように保管し得るだけではなく、化粧品を便利に使用し得る冷蔵庫の化粧品受納装置を提供することを目的とする。
【課題を解決するための手段】
【００１１】
このような目的を達成するため、本発明に係る冷蔵庫の化粧品受納装置においては、冷凍室及び冷蔵室などが備えられた冷蔵庫の本体と、該冷蔵庫の本体に装着される冷蔵庫ドアと、該冷蔵庫ドアの内側面に備えられて所定の内部空間を有する化粧品保存ケースと、前記冷蔵庫ドアに備えられて且つ前記化粧品保存ケースを開閉するケースドアと、を包含して構成されたことを特徴とする。
【発明の効果】
【００１２】
本発明に係る冷蔵庫の化粧品受納装置においては、化粧品を冷たい場所に保存するため、化粧品が変質されることなく、長時間保管し得るだけではなく、主婦達が台所で料理や皿洗いをした後に台所に位置する冷蔵庫に備えられた化粧品受納装置から化粧品を取り出して使用するため、使用の便利性を向上し得るという効果がある。
【発明を実施するための最良の形態】
【００１３】
以下、本発明に係る冷蔵庫の化粧品受納装置に対し、図面を用いて説明する。
本発明に係る冷蔵庫化粧品受納装置の第１実施形態を備える冷蔵庫においては、図１乃至図３に示したように、冷凍室及び冷蔵室などが備えられた冷蔵庫の本体１００と、該冷蔵庫の本体１００に装着される冷蔵庫ドア２００と、を包含して構成されている。
【００１４】
また、前記冷蔵庫の本体１００は、その内部に食品が冷凍状態に保管される冷凍室(図示されず)と、食品が冷蔵状態に保管される冷蔵室R及び野菜や果物などが保管される野菜室(図示されず)等と、が備えられる。
【００１５】
また、前記冷蔵庫の本体１００の一方の側に冷凍室側を開閉する冷凍室ドア２１０が装着され、前記冷蔵庫の本体１００の他方の側に前記冷蔵室Rを開閉する冷蔵室ドア２２０が装着される。また、前記冷凍室ドア２１０と冷蔵室ドア２２０の内壁に飲飲料水やその他の食品を保管し得る各バスケット２４０が備えられる。
【００１６】
そして、前記冷蔵室ドア２２０に化粧品受納装置が備えられる。該化粧品受納装置は、前記冷蔵室ドア２２０に結合されて所定の内部空間を有する化粧品保存ケース２５０と、該化粧品保存ケース２５０を開閉するケースドア２６０と、を包含して構成される。
【００１７】
また、前記冷蔵室ドア２２０に所定の大きさに貫通された貫通孔２２１が形成され、前記冷蔵室ドア２２０の内壁に前記化粧品保存ケース２５０が結合される。また、該化粧品保存ケース２５０は、一方の側が開口された六面体の形状または六角形の形状のケース部２５１と、該ケース部２５１の開口された枠に折曲延長形成される結合部２５２と、を包含して構成される。
【００１８】
また、前記化粧品保存ケース２５０は、前記ケース部２５１が冷蔵室Rの内部に位置するように前記結合部２５２が前記冷蔵室ドア２２０の内壁に結合されることで、該冷蔵室ドア２２０に装着される。また、前記冷蔵室ドアの貫通孔２２１は、前記化粧品保存ケース２５０の開口された部分と対向して位置するようになり、且つ前記冷蔵室ドア２２０の貫通孔２２１の大きさは、前記化粧品保存ケース２５０の開口された大きさと相応するように形成される。
【００１９】
そして、前記化粧品保存ケース２５０の内部に化粧品を保存する時に該保存された化粧品の動きを抑制するように前記化粧品保存ケース２５０の底面に区画枠（膜）２５３が備えられる。また、該区画枠２５３は、所定厚さ及び高さを有して底面に対して垂直と水平方向に複数個形成される。
【００２０】
また、前記化粧品保存ケース２５０は、前記冷蔵庫の本体１００の内部の冷気が伝導されて内部が冷たくなるように伝熱部材に形成される。即ち、前記化粧品保存ケース２５０の内部に冷気が流動しながら該化粧品保存ケース２５０の内部を冷たく維持させることではなく、冷蔵室の冷気が前記化粧品保存ケース２５０に熱伝導されて該化粧品保存ケース２５０の内部が冷たく維持される。
【００２１】
また、前記化粧品保存ケース２５０の変形形態として、図４に示したように、前記ケース部２５１の後面のみが伝熱部材から成る。即ち、該ケース部２５１の後面のみが伝熱部材に形成され、他の部分は断熱部材に形成される。また、該ケース部２５１の後面のみが冷気伝導が行われる伝熱部Cを成すようになる。
【００２２】
また、前記ケースドア２６０は、前記冷蔵室ドア２２０の貫通孔２２１を開閉するように前記冷蔵室ドア２２０に装着される。即ち、前記ケースドア２６０は、前記冷蔵室ドア２２０の貫通孔２２１を開閉することで、前記化粧品保存ケース２５０を開閉するするようになる。
【００２３】
また、前記ケースドア２６０は、その一方の側をヒンジ軸２６１を基準に上側から下側に開閉されるように前記冷蔵室ドア２２０に結合されることが好ましい。
【００２４】
また、前記ケースドア２６０の変形形態として、図５に示したように、内部に受容された化粧品を確認し得るように透明ウィンドウ２６２が備えられる。
【００２５】
また、前記冷蔵室ドア２２０に鏡が付着されることが好ましい。また、該鏡２７０は、前記ケースドア２６０の上側に位置することが好ましい。一方、該鏡２７０は、前記冷蔵室ドア２２０の以外にも冷凍室ドア２１０等に装着することができる。
【００２６】
本発明に係る冷蔵庫化粧品受納装置においては、前記冷蔵室ドア２２０の以外にも前記冷凍室ドア２１０又は前記冷蔵庫の本体１００の一方の側に設置されることもできる。また、前記化粧品受納装置は、冷蔵庫の本体１００の内部に形成された冷蔵室、冷蔵室又は野菜室などの内部に設置され得るが、化粧品の臭いが冷蔵室、冷凍室及び野菜室に広がることがあるため、適合ではない。若し、化粧品の臭いが冷凍室、冷蔵室及び野菜室に広がることを抑制し得ると、冷蔵庫の本体１００の内部に装着することもできる。
【００２７】
以下、本発明に係る冷蔵庫化粧品受納装置の動作に対し、説明する。
先ず、冷蔵庫を構成する冷凍サイクルシステムの運転により該冷凍サイクルシステムを構成する蒸発器で冷気が形成され、該冷気は、前記冷蔵庫の本体１００に備えられた送風ファン(図示されず)の回転により冷凍室及び冷蔵室を循環流動しながら冷凍室及び冷蔵室を設定された温度状態に維持させるようになる。
【００２８】
食品を保管する場合は冷凍室や冷蔵室に保管し、その他の野菜や果物を保管する場合は野菜室に保管するが、該保管された食品を使用する場合、前記蔵庫ドア２００を開いて保管された食品を取り出して使用するようになる。
そして、前記冷蔵室ドア２２０に備えられたケースドア２６０を開いて化粧品を化粧品保存ケース２５０内に保管する。
【００２９】
該化粧品保存ケース２５０は、冷蔵室Rの内部の冷気が該化粧品保存ケース２５０に伝導され、その冷気の伝導により該化粧品保存ケース２５０の内部が冷たい状態に維持されることで、該化粧品保存ケース２５０に保管された各化粧品は、冷たい状態に維持されて長時間保管しても化粧品の品質が変質されない。
【００３０】
また、前記化粧品保存ケース２５０は、前記冷蔵室の内部と通じることなく、密閉された形態に形成されるため、化粧品の臭いが冷蔵室の内部に広がることを防止する。
そして、前記冷蔵室ドア２２０に鏡２７０が備えられ、前記化粧品保存ケース２５０から化粧品を取り出して鏡を見ながら使用するため、化粧品を一層便利に使用することができる。
【図面の簡単な説明】
【００３１】
【図１】本発明に係る冷蔵庫化粧品受納装置の第１実施形態が備えられた冷蔵庫を図示した斜視図である。
【図２】本発明に係る冷蔵庫のドアが開けられた状態を図示した冷蔵庫の斜視図である。
【図３】本発明に係る冷蔵庫の化粧品受納装置を図示した断面図である。
【図４】本発明に係る冷蔵庫の化粧品受納装置を構成する化粧品保存ケースの変形形態を図示した断面図である。
【図５】本発明に係る冷蔵庫の化粧品受納装置を構成するケースドアの変形形態を図示した断面図である。
【符号の説明】
【００３２】
１００    冷蔵庫の本体
２００    冷蔵庫ドア
２５０    化粧品保存ケース
２５１    ケース部
２５２    結合部
２５３    区画膜
２６０    ケースドア
２６２    透明ウィンドウ
２７０    鏡
【図１】
2005180909.tif 000003
【図２】
2005180909.tif 000004
【図３】
2005180909.tif 000005
【図４】
2005180909.tif 000006
【図５】
2005180909.tif 000007